(57)【要約】【課題】差動電圧制御発振器における差動信号の発振周波数が変化しても、低位相雑音特性が得られるようにする。【解決手段】差動ＶＣＯ１の発振周波数と一致する共振周波数ｆ0で９０度遅れの位相特性となる通過特性を有し、その差動信号の位相を９０度遅らせて、位相遅延後の差動信号である９０度と２７０度の差動信号を差動ＶＣＯ５に出力する可変移相器４と、差動ＶＣＯ５の発振周波数と一致する共振周波数ｆ0で９０度遅れの位相特性となる通過特性を有し、その差動信号の位相を９０度遅らせて、位相遅延後の差動信号である１８０度と０（３６０）度の差動信号を差動ＶＣＯ１に出力する可変移相器８とを備える。【選択図】図１
2015091084.tif 000002
【特許請求の範囲】
【請求項１】
１８０度の位相差がある第１の差動信号に同期して、前記第１の差動信号と位相が同じ第２の差動信号を発振する第１の差動電圧制御発振器と、
前記第１の差動電圧制御発振器における第２の差動信号の発振周波数と一致する周波数で９０度遅れの位相特性となる通過特性を有しており、前記第１の差動電圧制御発振器により発振された第２の差動信号の位相を９０度遅らせて、位相遅延後の差動信号である第３の差動信号を出力する第１の可変移相器と、
前記第１の可変移相器から出力された第３の差動信号に同期して、前記第１の差動電圧制御発振器における第２の差動信号の発振周波数と一致する発振周波数で、前記第３の差動信号と位相が同じ第４の差動信号を発振する第２の差動電圧制御発振器と、
前記第２の差動電圧制御発振器における第４の差動信号の発振周波数と一致する周波数で９０度遅れの位相特性となる通過特性を有しており、前記第２の差動電圧制御発振器により発振された第４の差動信号の位相を９０度遅らせて、位相遅延後の差動信号である前記第１の差動信号を前記第１の差動電圧制御発振器に出力する第２の可変移相器と
を備えた４相出力電圧制御発振器。
【請求項２】
前記第１の差動電圧制御発振器は第１の可変共振器を備え、前記第１の可変共振器の共振周波数が前記第１の差動電圧制御発振器における第２の差動信号の発振周波数となり、
前記第１の可変移相器は、前記第１の可変共振器と同一の周波数特性を有する第２の可変共振器から構成されており、前記第２の可変共振器が前記第１の差動電圧制御発振器により発振された第２の差動信号の位相を９０度遅らせて、位相遅延後の差動信号である第３の差動信号を出力し、
前記第２の差動電圧制御発振器は第３の可変共振器を備え、前記第３の可変共振器の共振周波数が前記第２の差動電圧制御発振器における第４の差動信号の発振周波数となり、
前記第２の可変移相器は、前記第３の可変共振器と同一の周波数特性を有する第４の可変共振器から構成されており、前記第４の可変共振器が前記第２の差動電圧制御発振器により発振された第４の差動信号の位相を９０度遅らせて、位相遅延後の差動信号である前記第１の差動信号を前記第１の差動電圧制御発振器に出力することを特徴とする請求項１記載の４相出力電圧制御発振器。
【請求項３】
前記第１の差動電圧制御発振器は第１の可変共振器を備え、前記第１の可変共振器の共振周波数が前記第１の差動電圧制御発振器における第２の差動信号の発振周波数となり、
前記第１の可変移相器は、前記第１の可変共振器の共振周波数の変化に合わせて移相量が変化する第１のＲＣフィルタから構成されており、前記第１のＲＣフィルタが前記第１の差動電圧制御発振器により発振された第２の差動信号の位相を９０度遅らせて、位相遅延後の差動信号である第３の差動信号を出力し、
前記第２の差動電圧制御発振器は第２の可変共振器を備え、前記第２の可変共振器の共振周波数が前記第２の差動電圧制御発振器における第４の差動信号の発振周波数となり、
前記第２の可変移相器は、前記第２の可変共振器の共振周波数の変化に合わせて移相量が変化する第２のＲＣフィルタから構成されており、前記第２のＲＣフィルタが前記第２の差動電圧制御発振器により発振された第４の差動信号の位相を９０度遅らせて、位相遅延後の差動信号である前記第１の差動信号を前記第１の差動電圧制御発振器に出力することを特徴とする請求項１記載の４相出力電圧制御発振器。
【請求項４】
前記第１の差動電圧制御発振器と前記第１の可変移相器との間に接続された第１の容量と、
前記第１の可変移相器と前記第２の差動電圧制御発振器との間に接続された第２の容量と、
前記第２の差動電圧制御発振器と前記第２の可変移相器との間に接続された第３の容量と、
前記第２の可変移相器と前記第１の差動電圧制御発振器との間に接続された第４の容量とを備え、
前記第１から第４の容量が同一の容量値に設定されていることを特徴とする請求項１から請求項３のうちのいずれか１項記載の４相出力電圧制御発振器。
【発明の詳細な説明】
【技術分野】
【０００１】
この発明は、位相が０度、９０度、１８０度及び２７０度の信号を出力する４相出力電圧制御発振器に関するものである。
【背景技術】
【０００２】
無線通信の品質を左右する部品の一つとして、位相雑音が低い電圧制御発振器に高い需要がある。
例えば、４相出力電圧制御発振器は、位相が０度、９０度、１８０度及び２７０度の信号を出力する電圧制御発振器である。
従来の４相出力電圧制御発振器では、位相雑音を低くするために、２つの差動電圧制御発振器の間に移相器を設けて、発振波と注入波の位相を同位相とする手法が用いられている（例えば、非特許文献１，２を参照）。
【０００３】
図７は以下の非特許文献１，２に開示されている４相出力電圧制御発振器を示す構成図である。
図７の４相出力電圧制御発振器は、差動電圧制御発振器１０１，１０３と固定９０度移相器１０２，１０４から構成されている。
差動電圧制御発振器１０１は、０度と１８０度の差動信号に同期して、０度と１８０度の差動信号を固定９０度移相器１０２に出力する。
固定９０度移相器１０２は、差動電圧制御発振器１０１から出力された０度と１８０度の差動信号の位相を９０度遅らせて、９０度と２７０度の差動信号を差動電圧制御発振器１０３に出力する。
差動電圧制御発振器１０３は、固定９０度移相器１０２から出力された９０度と２７０度の差動信号に同期して、９０度と２７０度の差動信号を固定９０度移相器１０４に出力する。
固定９０度移相器１０４は、差動電圧制御発振器１０３から出力された９０度と２７０度の差動信号の位相を９０度遅らせて、１８０度と０（３６０）度の差動信号を差動電圧制御発振器１０１に出力する。
【先行技術文献】
【非特許文献】
【０００４】
【非特許文献１】P. Andreani著 「Analysis and Design of a 1.8 -GHz CMOS LC Quadrature VCO」IEEE Journal of Solid-State Circuits、2002 年12月発行、ｐ．1737〜1747
【非特許文献２】A. Mirzaei著 「The Quadrature LC Oscillator: A Complete Portrait Based on Injection Locking」IEEE Journal of Solid-State Circuits、2007年9月発行、ｐ．1916〜1932
【発明の概要】
【発明が解決しようとする課題】
【０００５】
従来の４相出力電圧制御発振器は以上のように構成されているので、固定９０度移相器１０２，１０４の移相量が９０度に設定されているが、固定９０度移相器１０２，１０４は一般的に周波数特性を有しているため、差動電圧制御発振器１０１，１０３における差動信号の発振周波数が変化すると、固定９０度移相器１０２，１０４の移相量が９０度からずれてしまって、位相雑音特性が劣化してしまう課題があった。
【０００６】
この発明は上記のような課題を解決するためになされたもので、差動電圧制御発振器における差動信号の発振周波数が変化しても、低位相雑音特性が得られる４相出力電圧制御発振器を得ることを目的とする。
【課題を解決するための手段】
【０００７】
この発明に係る４相出力電圧制御発振器は、１８０度の位相差がある第１の差動信号に同期して、第１の差動信号と位相が同じ第２の差動信号を発振する第１の差動電圧制御発振器と、第１の差動電圧制御発振器における第２の差動信号の発振周波数と一致する周波数で９０度遅れの位相特性となる通過特性を有しており、第１の差動電圧制御発振器により発振された第２の差動信号の位相を９０度遅らせて、位相遅延後の差動信号である第３の差動信号を出力する第１の可変移相器と、第１の可変移相器から出力された第３の差動信号に同期して、第１の差動電圧制御発振器における第２の差動信号の発振周波数と一致する発振周波数で、第３の差動信号と位相が同じ第４の差動信号を発振する第２の差動電圧制御発振器と、第２の差動電圧制御発振器における第４の差動信号の発振周波数と一致する周波数で９０度遅れの位相特性となる通過特性を有しており、第２の差動電圧制御発振器により発振された第４の差動信号の位相を９０度遅らせて、位相遅延後の差動信号である第１の差動信号を第１の差動電圧制御発振器に出力する第２の可変移相器とを備えるようにしたものである。
【発明の効果】
【０００８】
この発明によれば、第１の差動電圧制御発振器における第２の差動信号の発振周波数と一致する周波数で９０度遅れの位相特性となる通過特性を有しており、第１の差動電圧制御発振器により発振された第２の差動信号の位相を９０度遅らせて、位相遅延後の差動信号である第３の差動信号を第２の差動電圧制御発振器に出力する第１の可変移相器と、第２の差動電圧制御発振器における第４の差動信号の発振周波数と一致する周波数で９０度遅れの位相特性となる通過特性を有しており、第２の差動電圧制御発振器により発振された第４の差動信号の位相を９０度遅らせて、位相遅延後の差動信号である第１の差動信号を第１の差動電圧制御発振器に出力する第２の可変移相器とを備えるように構成したので、第１及び第２の差動電圧制御発振器における差動信号の発振周波数が変化しても、低位相雑音特性が得られる効果がある。
【図面の簡単な説明】
【０００９】
【図１】この発明の実施の形態１による４相出力電圧制御発振器を示す概略構成図である。
【図２】この発明の実施の形態１による４相出力電圧制御発振器の詳細を示す構成図である。
【図３】４つの可変共振器の通過特性を示す説明図である。
【図４】この発明の実施の形態２による４相出力電圧制御発振器の詳細を示す構成図である。
【図５】この発明の実施の形態３による４相出力電圧制御発振器を示す概略構成図である。
【図６】この発明の実施の形態３による４相出力電圧制御発振器の詳細を示す構成図である。
【図７】非特許文献１，２に開示されている４相出力電圧制御発振器を示す構成図である。
【発明を実施するための形態】
【００１０】
実施の形態１．
図１はこの発明の実施の形態１による４相出力電圧制御発振器を示す概略構成図であり、図２はこの発明の実施の形態１による４相出力電圧制御発振器の詳細を示す構成図である。
図１及び図２において、差動ＶＣＯ（Ｖｏｌｔａｇｅ  Ｃｏｎｔｒｏｌｌｅｄ  Ｏｓｃｉｌｌａｔｏｒ）１は可変移相器８から出力された０度と１８０度の差動信号（１８０度の位相差がある第１の差動信号）に同期して、０度と１８０度の差動信号（第１の差動信号と位相が同じ第２の差動信号）を発振する第１の差動電圧制御発振器である。
【００１１】
差動ＶＣＯ１は可変共振器２（第１の可変共振器）と能動回路３から構成されており、可変共振器２はインダクタＬ0とキャパシタＣ0からなる並列共振回路であり、その共振周波数が差動ＶＣＯ１における差動信号の発振周波数となる。
能動回路３は発振デバイス用トランジスタＭ1，Ｍ2と注入差動対用トランジスタＭ3，Ｍ4とから構成され、可変共振器２の共振周波数で、０度と１８０度の差動信号を発振する回路である。
差動ＶＣＯ１としては、例えば、クロスカップルド発振器、差動コルピッツ発振器、ｐｕｓｈ−ｐｕｓｈ発振器などの電圧制御発振器が考えられる。
【００１２】
可変移相器４は差動ＶＣＯ１における差動信号の発振周波数と一致する共振周波数で９０度遅れの位相特性となる通過特性を有しており、差動ＶＣＯ１により発振された差動信号の位相を９０度遅らせて、位相遅延後の差動信号である９０度と２７０度の差動信号（第３の差動信号）を差動ＶＣＯ５に出力する第１の可変移相器である。
即ち、可変移相器４は可変共振器２と同一の周波数特性を有する可変共振器（第２の可変共振器）から構成されており、この可変共振器は、インダクタＬpsとキャパシタＣpsからなる並列共振回路である。
可変移相器４である可変共振器は差動ＶＣＯ１により発振された差動信号の位相を９０度遅らせて、位相遅延後の差動信号である９０度と２７０度の差動信号を差動ＶＣＯ５に出力する。
【００１３】
差動ＶＣＯ５は可変移相器４から出力された９０度と２７０度の差動信号に同期して、差動ＶＣＯ１における差動信号の発振周波数と一致する発振周波数で、９０度と２７０度の差動信号（第３の差動信号と位相が同じ第４の差動信号）を発振する第２の差動電圧制御発振器である。
差動ＶＣＯ５は可変共振器６（第３の可変共振器）と能動回路７から構成されており、可変共振器６はインダクタＬ0とキャパシタＣ0からなる並列共振回路であり、その共振周波数が差動ＶＣＯ５における差動信号の発振周波数となる。
能動回路７は発振デバイス用トランジスタＭ5，Ｍ6と注入差動対用トランジスタＭ7，Ｍ8とから構成され、可変共振器６の共振周波数で、９０度と２７０度の差動信号を発振する回路である。
差動ＶＣＯ５としては、例えば、クロスカップルド発振器、差動コルピッツ発振器、ｐｕｓｈ−ｐｕｓｈ発振器などの電圧制御発振器が考えられる。
【００１４】
可変移相器８は差動ＶＣＯ５における差動信号の発振周波数と一致する共振周波数で９０度遅れの位相特性となる通過特性を有しており、差動ＶＣＯ５により発振された差動信号の位相を９０度遅らせて、位相遅延後の差動信号である１８０度と０（３６０）度の差動信号（第１の差動信号）を差動ＶＣＯ１に出力する第２の可変移相器である。
即ち、可変移相器８は可変共振器６と同一の周波数特性を有する可変共振器（第４の可変共振器）から構成されており、この可変共振器は、インダクタＬpsとキャパシタＣpsからなる並列共振回路である。
可変移相器８である可変共振器は差動ＶＣＯ５により発振された差動信号の位相を９０度遅らせて、位相遅延後の差動信号である０度と０（３６０）度の差動信号を差動ＶＣＯ１に出力する。
【００１５】
出力端子１１は位相が０度の高周波信号を出力する端子である。
出力端子１２は位相が１８０度の高周波信号を出力する端子である。
出力端子１３は位相が９０度の高周波信号を出力する端子である。
出力端子１４は位相が２７０度の高周波信号を出力する端子である。
【００１６】
バッファアンプ２１は差動ＶＣＯ１と可変移相器４の間に接続され、差動ＶＣＯ１から出力された差動信号が可変移相器４の方向に流れるのは許容するが、可変移相器４から差動ＶＣＯ１の方向に流れるのを阻止する素子である。
バッファアンプ２２は差動ＶＣＯ５と可変移相器８の間に接続され、差動ＶＣＯ５から出力された差動信号が可変移相器８の方向に流れるのは許容するが、可変移相器８から差動ＶＣＯ５の方向に流れるのを阻止する素子である。
容量２３，２４はバイアス回路用の容量であり、直流が注入差動対用トランジスタＭ7，Ｍ8に印加されないように設けられている。
容量２５，２６はバイアス回路用の容量であり、直流が注入差動対用トランジスタＭ3，Ｍ4に印加されないように設けられている。
【００１７】
次に動作について説明する。
この実施の形態１では、４つの可変共振器（差動ＶＣＯ１内の可変共振器２、可変移相器４である可変共振器、差動ＶＣＯ５内の可変共振器６、可変移相器８である可変共振器）が、全て同一の周波数特性を有するようにするために、予めインダクタＬ0，Ｌps及びキャパシタＣps，Ｌpsの値が設定されている。
また、差動ＶＣＯ１，５及び可変移相器４，８の電源電圧はＶddで共通であり、４つの可変共振器の共振周波数を制御する電圧はＶcontで共通である。
したがって、４つの可変共振器の共振周波数ｆ0は常に同じ周波数であり、仮に、差動ＶＣＯ１内の可変共振器２の共振周波数ｆ0が変化しても、残りの３つの可変共振器の共振周波数ｆ0も同様に変化する。
図３は４つの可変共振器の通過特性を示す説明図であり、４つの可変共振器の通過特性は、共振周波数ｆ0の付近で急峻な位相変化が得られ、共振周波数ｆ0で９０度遅れの位相特性となっている。
【００１８】
差動ＶＣＯ１は、可変移相器８から０度と１８０度の差動信号を受けると、差動ＶＣＯ１内の能動回路３が、可変共振器２の共振周波数ｆ0で、０度と１８０度の差動信号を発振する。
可変移相器４は、共振周波数ｆ0の可変共振器であり、共振周波数ｆ0で９０度遅れの位相特性となる通過特性を有している。
このため、可変移相器４は、差動ＶＣＯ１から０度と１８０度の差動信号を受けると、その差動信号の位相を９０度遅らせて、位相遅延後の差動信号である９０度と２７０度の差動信号を差動ＶＣＯ５に出力する。
なお、可変移相器４である可変共振器の共振周波数ｆ0は、可変共振器２の共振周波数ｆ0と常に同じである。このため、仮に、可変共振器２の共振周波数ｆ0が変化して、差動ＶＣＯ１における差動信号の発振周波数が変化しても、可変移相器４である可変共振器の共振周波数ｆ0も同様に変化するので、その差動信号の位相を正確に９０度遅らせることができる。
【００１９】
差動ＶＣＯ５は、可変移相器４から９０度と２７０度の差動信号を受けると、差動ＶＣＯ５内の能動回路７が、可変共振器６の共振周波数ｆ0で、９０度と２７０度の差動信号を発振する。
可変移相器８は、共振周波数ｆ0の可変共振器であり、共振周波数ｆ0で９０度遅れの位相特性となる通過特性を有している。
このため、可変移相器８は、差動ＶＣＯ５から９０度と２７０度の差動信号を受けると、その差動信号の位相を９０度遅らせて、位相遅延後の差動信号である１８０度と０（３６０）度の差動信号を差動ＶＣＯ１に出力する。
なお、可変移相器８である可変共振器の共振周波数ｆ0は、可変共振器６の共振周波数ｆ0と常に同じである。このため、仮に、可変共振器６の共振周波数ｆ0が変化して、差動ＶＣＯ５における差動信号の発振周波数が変化しても、可変移相器８である可変共振器の共振周波数ｆ0も同様に変化するので、その差動信号の位相を正確に９０度遅らせることができる。
【００２０】
以上で明らかなように、この実施の形態１によれば、差動ＶＣＯ１における差動信号の発振周波数と一致する共振周波数ｆ0で９０度遅れの位相特性となる通過特性を有しており、差動ＶＣＯ１により発振された差動信号の位相を９０度遅らせて、位相遅延後の差動信号である９０度と２７０度の差動信号を差動ＶＣＯ５に出力する可変移相器４と、差動ＶＣＯ５における差動信号の発振周波数と一致する共振周波数ｆ0で９０度遅れの位相特性となる通過特性を有しており、差動ＶＣＯ５により発振された差動信号の位相を９０度遅らせて、位相遅延後の差動信号である１８０度と０（３６０）度の差動信号を差動ＶＣＯ１に出力する可変移相器８とを備えるように構成したので、差動ＶＣＯ１，５における差動信号の発振周波数が変化しても、広帯域に低位相雑音特性が得られる効果を奏する。
【００２１】
実施の形態２．
図４はこの発明の実施の形態２による４相出力電圧制御発振器の詳細を示す構成図であり、図４において、図２と同一符号は同一または相当部分を示すので説明を省略する。
容量３１，３２は差動ＶＣＯ１内の可変共振器２の共振特性調整用の容量であり、差動ＶＣＯ１とバッファアンプ２１の間に接続されている。
容量３３，３４は差動ＶＣＯ５内の可変共振器６の共振特性調整用の容量であり、差動ＶＣＯ５とバッファアンプ２２の間に接続されている。
この実施の形態２では、容量３１，３２が第１の容量を構成し、容量２３，２４が第２の容量を構成し、容量３３，３４が第３の容量を構成し、容量２５，２６が第４の容量を構成している。
なお、容量３１〜３４及び容量２３〜２６は、同一の容量値に設定されている。
【００２２】
次に動作について説明する。
上記実施の形態１では、４つの可変共振器（差動ＶＣＯ１内の可変共振器２、可変移相器４である可変共振器、差動ＶＣＯ５内の可変共振器６、可変移相器８である可変共振器）が、全て同一の周波数特性を有するようにするために、予めインダクタＬ0，Ｌps及びキャパシタＣps，Ｌpsの値が設定されているものを示したが、４つの可変共振器の共振特性は、注入差動対用トランジスタＭ3，Ｍ4，Ｍ7，Ｍ8、バッファアンプ２１，２２及びバイアス回路用の容量２３〜２６の寄生容量などの影響を受けるため、この実施の形態２では、注入差動対用トランジスタＭ3，Ｍ4，Ｍ7，Ｍ8として、同じトランジスタを使用するとともに、共振特性調整用の容量３１〜３４を追加している。
【００２３】
即ち、上記実施の形態１では、直流が注入差動対用トランジスタＭ3，Ｍ4，Ｍ7，Ｍ8に印加されないようにバイアス回路用の容量２３〜２６を設けているが、バイアス回路用の容量２３〜２６を設けることで、可変移相器４，８である可変共振器の共振周波数ｆ0が若干変化するので、実施の形態２では共振特性調整用の容量３１〜３４を追加することで、可変共振器２，６の共振周波数ｆ0を調整して、４つの可変共振器の共振特性が精度よく一致するようにしている。
これにより、この実施の形態２によれば、上記実施の形態１よりも更に低位相雑音特性が得られる効果を奏する。
【００２４】
実施の形態３．
図５はこの発明の実施の形態３による４相出力電圧制御発振器を示す概略構成図であり、図６はこの発明の実施の形態３による４相出力電圧制御発振器の詳細を示す構成図である。
図５及び図６において、図１及び図２と同一符号は同一または相当部分を示すので説明を省略する。
可変移相器４１は差動ＶＣＯ１における差動信号の発振周波数と一致する周波数で９０度遅れの位相特性となる通過特性を有しており、差動ＶＣＯ１により発振された差動信号の位相を９０度遅らせて、位相遅延後の差動信号である９０度と２７０度の差動信号（第３の差動信号）を差動ＶＣＯ５に出力する第１の可変移相器である。
即ち、可変移相器４１は可変共振器２の共振周波数の変化に合わせて移相量が変化する抵抗ＲpsとキャパシタＣpsからなるＲＣフィルタ（第１のＲＣフィルタ）から構成されており、そのＲＣフィルタが、差動ＶＣＯ１により発振された差動信号の位相を９０度遅らせて、位相遅延後の差動信号である９０度と２７０度の差動信号を差動ＶＣＯ５に出力する。
【００２５】
可変移相器４２は差動ＶＣＯ５における差動信号の発振周波数と一致する周波数で９０度遅れの位相特性となる通過特性を有しており、差動ＶＣＯ５により発振された差動信号の位相を９０度遅らせて、位相遅延後の差動信号である１８０度と０（３６０）度の差動信号（第１の差動信号）を差動ＶＣＯ１に出力する第２の可変移相器である。
即ち、可変移相器４２は可変共振器６の共振周波数の変化に合わせて移相量が変化する抵抗ＲpsとキャパシタＣpsからなるＲＣフィルタ（第２のＲＣフィルタ）から構成されており、そのＲＣフィルタが、差動ＶＣＯ５により発振された差動信号の位相を９０度遅らせて、位相遅延後の差動信号である１８０度と０（３６０）度の差動信号を差動ＶＣＯ１に出力する。
【００２６】
図６の例では、容量３１〜３４が設けられていないが、図４の４相出力電圧制御発振器と同様に、図６の４相出力電圧制御発振器にも、容量３１〜３４が設けられていてもよい。
なお、この実施の形態３では、差動ＶＣＯ１内の可変共振器２が第１の可変共振器、差動ＶＣＯ５内の可変共振器６が第２の可変共振器を構成する。上記実施の形態１，２では、差動ＶＣＯ５内の可変共振器６が第３の可変共振器であるとして説明している。
【００２７】
次に動作について説明する。
この実施の形態３では、差動ＶＣＯ１内の可変共振器２と差動ＶＣＯ５内の可変共振器６の共振周波数を制御する電圧はＶcont1で共通である。
また、可変移相器４であるＲＣフィルタと可変移相器８であるＲＣフィルタの移相量を制御する電圧はＶcont2で共通である。
このとき、可変共振器２，６及び可変移相器４，８であるＲＣフィルタの全てが同一の周波数特性を有するようにするために、予めインダクタＬ0、キャパシタＣps，Ｃps及び抵抗Ｒps値が設定されるとともに、制御電圧Ｖcont1，Ｖcont2が設定されている。
即ち、可変移相器４１から出力される差動信号の位相が、差動ＶＣＯ１により発振される差動信号の位相と一致し、可変移相器４２から出力される差動信号の位相が、差動ＶＣＯ５により発振される差動信号の位相と一致するように、制御電圧Ｖcont1，Ｖcont2が設定されている。
したがって、仮に、差動ＶＣＯ１，５内の可変共振器２，６の共振周波数ｆ0が変化して、差動ＶＣＯ１，５により発振された差動信号の位相が変化しても、可変移相器４１，４２から出力される差動信号の位相も同様に変化する。
【００２８】
差動ＶＣＯ１は、可変移相器８から０度と１８０度の差動信号を受けると、差動ＶＣＯ１内の能動回路３が、可変共振器２の共振周波数ｆ0で、０度と１８０度の差動信号を発振する。
可変移相器４１は、差動ＶＣＯ１から０度と１８０度の差動信号を受けると、その差動信号の位相を９０度遅らせて、位相遅延後の差動信号である９０度と２７０度の差動信号を差動ＶＣＯ５に出力する。
なお、可変移相器４１は、上述したように、可変共振器２の共振周波数ｆ0の変化に合わせて移相量が変化するＲＣフィルタから構成されているため、仮に、可変共振器２の共振周波数ｆ0が変化して、差動ＶＣＯ１により発振された差動信号の位相が変化しても、可変移相器４１から出力される差動信号の位相も同様に変化する。したがって、差動ＶＣＯ１により発振された差動信号の位相が変化しても、その差動信号の位相を正確に９０度遅らせることができる。
【００２９】
差動ＶＣＯ５は、可変移相器４から９０度と２７０度の差動信号を受けると、差動ＶＣＯ５内の能動回路７が、可変共振器６の共振周波数ｆ0で、９０度と２７０度の差動信号を発振する。
可変移相器４２は、差動ＶＣＯ５から９０度と２７０度の差動信号を受けると、その差動信号の位相を９０度遅らせて、位相遅延後の差動信号である１８０度と０（３６０）度の差動信号を差動ＶＣＯ１に出力する。
なお、可変移相器４２は、上述したように、可変共振器６の共振周波数ｆ0の変化に合わせて移相量が変化するＲＣフィルタから構成されているため、仮に、可変共振器６の共振周波数ｆ0が変化して、差動ＶＣＯ５により発振された差動信号の位相が変化しても、可変移相器４２から出力される差動信号の位相も同様に変化する。したがって、差動ＶＣＯ５により発振された差動信号の位相が変化しても、その差動信号の位相を正確に９０度遅らせることができる。
【００３０】
以上で明らかなように、この実施の形態３によれば、可変移相器４１，４２が、可変共振器２，６の共振周波数ｆ0の変化に合わせて移相量が変化するＲＣフィルタから構成されているので、上記実施の形態１，２と同様に、差動ＶＣＯ１，５における差動信号の発振周波数が変化しても、広帯域に低位相雑音特性が得られる効果を奏する。
【００３１】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００３２】
１  差動ＶＣＯ（第１の差動電圧制御発振器）、２  可変共振器（第１の可変共振器）、３  能動回路、４  可変移相器（第１の可変移相器、第２の可変共振器）、５  差動ＶＣＯ（第２の差動電圧制御発振器）、６  可変共振器（第３の可変共振器、第２の可変共振器）、７  能動回路、８  可変移相器（第２の可変移相器、第４の可変共振器）、１１〜１４  出力端子、２１，２２  バッファアンプ、２３，２４  容量（第２の容量）、２５，２６  容量（第４の容量）、３１，３２  容量（第１の容量）、３３，３４  容量（第３の容量）、４１  可変移相器（第１の可変移相器、第１のＲＣフィルタ）、４２  可変移相器（第２の可変移相器、第２のＲＣフィルタ）、１０１，１０３  差動電圧制御発振器、１０２，１０４  固定９０度移相器。
【図１】
2015091084.tif 000003
【図２】
2015091084.tif 000004
【図３】
2015091084.tif 000005
【図４】
2015091084.tif 000006
【図５】
2015091084.tif 000007
【図６】
2015091084.tif 000008
【図７】
2015091084.tif 000009